(57)【要約】【課題】コストアップを伴うことなく、複数のビーム波長に対して単一のアパーチャによってビーム径を最適化することができる光走査装置を提供すること。【解決手段】レーザーダイオード（光源）２０と、該レーザーダイオード２０から出射される光ビームＬを偏向するポリゴンミラー（偏向器）２３と、該ポリゴンミラー２３と前記レーザーダイオード２０の間の光路において前記光ビームＬを絞る開口絞りを有するアパーチャ２９と、前記ポリゴンミラー２３によって偏向された光ビームＬを被走査面上に等速度で結像させるｆθレンズを備えた光走査装置において、前記アパーチャ２９にサイズの異なる複数の開口絞りを形成し、該アパーチャ２９の取付方向を前記レーザーダイオード２０から出射される光ビームＬの波長に応じて変えるようにする。【選択図】図４
2011137922.tif 000002
【特許請求の範囲】
【請求項１】
光源と、該光源から出射される光ビームを偏向する偏向器と、該偏向器と前記光源の間の光路において前記光ビームを絞る開口絞りを有するアパーチャと、前記偏向器によって偏向された光ビームを被走査面上に等速度で結像させるｆθレンズを備えた光走査装置において、
前記アパーチャにサイズの異なる複数の開口絞りを形成し、該アパーチャの取付方向を前記光源から出射される光ビームの波長に応じて変えるようにしたことを特徴とする光走査装置。
【請求項２】
前記アパーチャを主走査面に対して平行且つ回動可能に取り付けるとともに、その回動支点回りに複数の垂直壁を立設し、各垂直壁にサイズ異なる開口絞りをそれぞれ形成したことを特徴とする請求項１記載の光走査装置。
【請求項３】
前記アパーチャをＬ字型とし、各面に異なるサイズの開口絞りを形成したことを特徴とする請求項１記載の光走査装置。
【請求項４】
前記アパーチャの各面に形状が異なる嵌合溝を形成し、該アパーチャを取り付けるハウジング側に前記嵌合凹部に嵌合する嵌合溝を突設したことを特徴とする請求項３記載の光走査装置。
【請求項５】
前記アパーチャを平板状としてその長手方向中間部にフランジ部を形成し、該フランジ部の両側にサイズの異なる開口絞りを形成するとともに、アパーチャを取り付けるハウジング側に該アパーチャの使用しない開口絞りが形成された部分を差し込むことを特徴とする請求項１記載の光走査装置。
【請求項６】
前記アパーチャの長手方向両端面に形状と個数が異なる突起を突設したことを特徴とする請求項５記載の光走査装置。
【請求項７】
請求項１〜６の何れかに記載の光走査装置を備えることを特徴とする画像形成装置。
【発明の詳細な説明】
【技術分野】
【０００１】
本発明は、光ビームの集光スポットによって被走査面を走査する光走査装置とこれを備えた複写機やプリンタ等の画像形成装置に関するものである。
【背景技術】
【０００２】
複写機やプリンタ等の画像形成装置においては、帯電器によって表面が一様に帯電された像担持体が光走査装置によって露光走査され、その表面に画像情報に応じた静電潜像が形成される。そして、静電潜像は現像装置によって現像剤であるトナーを用いて現像されてトナー像として顕像化され、このトナー像は、転写装置によって用紙上に転写された後に定着装置によって加熱及び加圧されて用紙上に定着され、トナー像が定着された用紙が装置外へ排出されることによって一連の画像形成動作が終了する。
【０００３】
斯かる画像形成装置において像担持体を露光走査する光走査装置は、レーザーダイオード等の光源から出射される光ビームをコリメータレンズによって平行光束とし、この平行光束を高速で回転するポリゴンミラー等の偏向器によって反射偏向させ、偏向された光ビームをｆθレンズによって集光させて被走査面である像担持体上に集光スポットを形成するものである。
【０００４】
ところで、像担持体の種類（有機半導体（ＯＰＣ）やアモルファスシリコン感光体）によって最適な分光感度特性が異なり、又、仕様によって最適なビーム径が異なったりするため、露光する光の波長としてそれぞれに最適なものが選定される。又、より高解像度の画像を得るために青色レーザーを使用する光走査装置の出現も考えられる。
【０００５】
ところが、異なる波長の光ビームを同一の結像光学系を用いて集光すると、その波長の違いから像担持体上のビームスポット径が異なってしまう。
【０００６】
そこで、通常は使用する光ビームの波長に対応したサイズの開口絞りを有する複数のアパーチャ（絞り）を用意しておき、光ビームの波長に対して最適なサイズの開口絞りを有するアパーチャを選択してこれを光走査装置に組み付けることが行われていた。このため、使用する光ビームの波長の数だけアパーチャを用意しておく必要がある。
【０００７】
上記問題を解決するため、特許文献１には、可変アパーチャ素子に備えられた複数のアパーチャエレメントについて各々の電極を介して個別に電圧印加を制御することによって、任意のアパーチャエレメントを開閉（ＯＮ／ＯＦＦ）制御、即ちアパーチャ量を可変制御し、共通部材を用いて複数の波長に対応するようにした光走査装置が提案されている。
【先行技術文献】
【特許文献】
【０００８】
【特許文献１】特許第２９０２００２号公報
【発明の概要】
【発明が解決しようとする課題】
【０００９】
しかしながら、特許文献１において提案された光走査装置では、可変アパーチャ素子自体及びそのアパーチャエレメントの制御系が複雑化し、コストアップを免れないという問題がある。
【００１０】
本発明は上記問題に鑑みてなされたもので、その目的とする処は、コストアップを伴うことなく、複数のビーム波長に対して単一のアパーチャによってビーム径を最適化することができる光走査装置とこれを備えた画像形成装置を提供することにある。
【課題を解決するための手段】
【００１１】
上記目的を達成するため、請求項１記載の発明は、光源と、該光源から出射される光ビームを偏向する偏向器と、該偏向器と前記光源の間の光路において前記光ビームを絞る開口絞りを有するアパーチャと、前記偏向器によって偏向された光ビームを被走査面上に等速度で結像させるｆθレンズを備えた光走査装置において、前記アパーチャにサイズの異なる複数の開口絞りを形成し、該アパーチャの取付方向を前記光源から出射される光ビームの波長に応じて変えるようにしたことを特徴とする。
【００１２】
請求項２記載の発明は、請求項１記載の発明において、前記アパーチャを主走査面に対して平行且つ回動可能に取り付けるとともに、その回動支点回りに複数の垂直壁を立設し、各垂直壁にサイズの異なる開口絞りをそれぞれ形成したことを特徴とする。
【００１３】
請求項３記載の発明は、請求項１記載の発明において、前記アパーチャをＬ字型とし、各面に異なるサイズの開口絞りを形成したことを特徴とする。
【００１４】
請求項４記載の発明は、請求項３記載の発明において、前記アパーチャの各面に形状が異なる嵌合溝を形成し、該アパーチャを取り付けるハウジング側に前記嵌合溝に嵌合する嵌合凸部を突設したことを特徴とする。
【００１５】
請求項５記載の発明は、請求項１記載の発明において、前記アパーチャを平板状としてその長手方向中間部にフランジ部を形成し、該フランジ部の両側にサイズの異なる開口絞りを形成するとともに、アパーチャを取り付けるハウジング側に該アパーチャの使用しない開口絞りが形成された部分を差し込むことを特徴とする。
【００１６】
請求項６記載の発明は、請求項５記載の発明において、前記アパーチャの長手方向両端面に形状と個数が異なる突起を突設したことを特徴とする。
【００１７】
請求項７記載の画像形成装置は、請求項１〜６の何れかに記載の光走査装置を備えることを特徴とする。
【発明の効果】
【００１８】
本発明によれば、アパーチャにサイズの異なる複数の開口絞りを形成し、該アパーチャの取付方向を光源から出射される光ビームの波長に応じて変えることによって、該アパーチャに形成された複数の開口絞りの中からを光ビームの波長に適したサイズのものを選択することができるため、選択した開口絞りによって光ビームを絞って最適なビーム径を得ることができる。
【００１９】
従って、サイズの異なる複数の開口絞りが形成されたアパーチャの取付方向を変えるだけで上記効果が得られるため、部品点数の増加やコストアップを伴うことなく、複数のビーム波長に対して単一のアパーチャによってビーム径を最適化することができる。
【図面の簡単な説明】
【００２０】
【図１】本発明に係る画像形成装置（カラーレーザープリンタ）の側断面図である。
【図２】本発明に係る光走査装置の斜視図である。
【図３】（ａ）は本発明の実施の形態１に係る光走査装置のアパーチャの平面図、（ｂ）は同アパーチャの斜視図である。
【図４】（ａ）は本発明の実施の形態１に係る光走査装置における光ビームの光源からポリゴンミラーまでの光路を示す主走査断面図、（ｂ）は同副走査断面図である。
【図５】（ａ）は本発明の実施の形態１の変形例に係る光走査装置のアパーチャの平面図、（ｂ）は同アパーチャの斜視図である。
【図６】（ａ）は本発明の実施の形態１の変形例に係る光走査装置のアパーチャの平面図、（ｂ）は同アパーチャの斜視図である。
【図７】本発明の実施の形態２に係る光走査装置のアパーチャの取付構造を示す斜視図である。
【図８】（ａ）は本発明の実施の形態２に係る光走査装置における長波長の光ビームの光源からポリゴンミラーまでの光路を示す副走査断面図、（ｂ）は短波長の光ビームの光源からポリゴンミラーまでの光路を示す副走査断面図である。
【図９】（ａ）は本発明の実施の形態３に係る光走査装置におけるアパーチャの取付要領を示す斜視図、（ｂ）はアパーチャ取付後の状態を示す斜視図である。
【図１０】（ａ）は本発明の実施の形態３に係る光走査装置におけるアパーチャの取付要領を示す斜視図、（ｂ）はアパーチャ取付後の状態を示す斜視図である。
【発明を実施するための形態】
【００２１】
以下に本発明の実施の形態を添付図面に基づいて説明する。
【００２２】
［画像形成装置］
図１は本発明に係る画像形成装置の一形態としてのカラーレーザープリンタの側断面図であり、図示のカラーレーザープリンタはタンデム型であって、その本体１００内の中央部には、マゼンタ画像形成ユニット１Ｍ、シアン画像形成ユニット１Ｃ、イエロー画像形成ユニット１Ｙ及びブラック画像形成ユニット１Ｋが一定の間隔でタンデムに配置されている。
【００２３】
上記各画像形成ユニット１Ｍ，１Ｃ，１Ｙ，１Ｋには、像担持体である感光ドラム２ａ，２ｂ，２ｃ，２ｄがそれぞれ配置されており、各感光ドラム２ａ〜２ｄの周囲には、帯電器３ａ，３ｂ，３ｃ，３ｄ、現像装置４ａ，４ｂ，４ｃ，４ｄ、転写ローラ５ａ，５ｂ，５ｃ，５ｄ及びクリーニング装置６ａ，６ｂ，６ｃ，６ｄがそれぞれ配置されている。
【００２４】
ここで、前記感光ドラム２ａ〜２ｄは、ドラム状の感光体であって、不図示の駆動モータによって図示矢印方向（反時計方向）に所定のプロセススピードで回転駆動される。又、前記帯電器３ａ〜３ｄは、不図示の帯電バイアス電源から印加される帯電バイアスによって感光ドラム２ａ〜２ｄの表面を所定の電位に均一に帯電させるものである。
更に、前記現像装置４ａ〜４ｄは、マゼンタ（Ｍ）トナー、シアン（Ｃ）トナー、イエロー（Ｙ）トナー、ブラック（Ｋ）トナーをそれぞれ収容しており、各感光ドラム２ａ〜２ｄ上に形成された各静電潜像に各色のトナーを付着させて各静電潜像を各色のトナー像として可視像化するものである。
【００２５】
又、前記転写ローラ５ａ〜５ｄは、各一次転写部にて中間転写ベルト７を介して各感光ドラム２ａ〜２ｄに当接可能に配置されている。ここで、中間転写ベルト７は、駆動ローラ８とテンションローラ９との間に張設されて各感光ドラム２ａ〜２ｄの上面側に走行可能に配置されており、前記駆動ローラ８は、二次転写部において中間転写ベルト７を介して二次転写ローラ１０に当接可能に配置されている。又、駆動ローラ８の近傍の中間転写ベルト７に対向する位置には光学式濃度センサ１１が配置されている。
【００２６】
更に、プリンタ本体１００内の各画像形成ユニット１Ｍ，１Ｃ，１Ｙ，１Ｋの下方には、各画像形成ユニット１Ｍ，１Ｃ，１Ｙ，１Ｋに対応して本発明に係る計４つの光走査装置１２がそれぞれ配置され、これらの下方のプリンタ本体１００の底部には給紙カセット１３が着脱可能に設置されている。そして、給紙カセット１３には複数枚の不図示の用紙が積層収容されており、この給紙カセット１３の近傍には、該給紙カセット１３から用紙を取り出して搬送パスＳへと１枚ずつ送り出す搬送ローラ対１４が設けられている。
【００２７】
又、プリンタ本体１００の側部を上下方向に延びる前記搬送パスＳには、用紙を一時待機させた後に所定のタイミングで前記駆動ローラ８と二次転写ローラ１０との当接部である二次転写部へと供給するレジストローラ対１５が設けられている。
【００２８】
ところで、プリンタ本体１００内の一側部に縦方向に配置された前記搬送パスＳは、プリンタ本体１００の上面に設けられた排紙トレイ１６まで延びており、その途中には定着装置１７と排紙ローラ対１８が設けられている。
【００２９】
次に、以上の構成を有するカラーレーザープリンタによる画像形成動作について説明する。
【００３０】
画像形成開始信号が発せられると、各画像形成ユニット１Ｍ，１Ｃ，１Ｙ，１Ｋにおいて各感光ドラム２ａ〜２ｄが図示矢印方向（反時計方向）に所定のプロセススピードで回転駆動され、これらの感光ドラム２ａ〜２ｄは、帯電器３ａ〜３ｄによって一様に帯電される。又、各光走査装置１２は、各色毎のカラー画像信号によって変調された光ビームを出射し、その光ビームを各感光ドラム２ａ〜２ｄの表面に照射し、各感光ドラム２ａ〜２ｄ上に各色のカラー画像信号に対応した静電潜像をそれぞれ形成する。
【００３１】
そして、先ず、マゼンタ画像形成ユニット１Ｍの感光ドラム２ａ上に形成された静電潜像に、該感光ドラム２ａの帯電極性と同極性の現像バイアスが印加された現像装置４ａによってマゼンタトナーを付着させ、該静電潜像をマゼンタトナー像として可視像化する。このマゼンタトナー像は、感光ドラム２ａと転写ローラ５ａとの間の一次転写部（転写ニップ部）において、トナーと逆極性の一次転写バイアスが印加された転写ローラ５ａの作用によって、図示矢印方向に回転駆動されている中間転写ベルト７上に一次転写される。
【００３２】
上述のようにしてマゼンタトナー像が一次転写された中間転写ベルト７は、次のシアン画像形成ユニット１Ｃへと移動する。そして、シアン画像形成ユニット１Ｃにおいても、前記と同様にして、感光ドラム２ｂ上に形成されたシアントナー像が一次転写部において中間転写ベルト７上のマゼンタトナー像に重ねて転写される。
【００３３】
以下同様にして、中間転写ベルト７上に重畳転写されたマゼンタ及びシアントナー像の上に、イエロー及びブラック画像形成ユニット１Ｙ，１Ｋの各感光ドラム２ｃ，２ｄ上にそれぞれ形成されたイエロー及びブラックトナー像が各一次転写部において順次重ね合わせられ、中間転写ベルト７上にはフルカラーのトナー像が形成される。尚、中間転写ベルト７上に転写されないで各感光ドラム２ａ〜２ｄ上に残留する転写残トナーは、各クリーニング装置６ａ〜６ｄによって除去され、各感光ドラム２ａ〜２ｄは次の画像形成に備えられる。
【００３４】
そして、中間転写ベルト７上のフルカラートナー像の先端が駆動ローラ８と二次転写ローラ１０間の二次転写部（転写ニップ部）に達するタイミングに合わせて、給紙カセット１３から搬送ローラ対１４によって搬送パスＳへと送り出された用紙がレジストローラ対１５によって二次転写部へと搬送される。そして、二次転写部に搬送された用紙に、トナーと逆極性の二次転写バイアスが印加された二次転写ローラ１０によってフルカラーのトナー像が中間転写ベルト７から一括して二次転写される。
【００３５】
而して、フルカラーのトナー像が転写された用紙は、定着装置１７へと搬送され、フルカラーのトナー像が加熱及び加圧されて用紙の表面に熱定着され、トナー像が定着された用紙は、排紙ローラ対１８によって排紙トレイ１６上に排出されて一連の画像形成動作が終了する。
【００３６】
［光走査装置］
次に、本発明に係る前記光走査装置１２を図２〜図６に基づいて説明する。尚、４つの光走査装置１２の構成は全て同じであるため、以下、１つの光走査装置１２についてのみ説明する。
【００３７】
図２は本発明に係る光走査装置の斜視図であり、同図に示すように、光走査装置１２のハウジング１９には光源であるレーザーダイオード２０が備えられており、ハウジング１９内には、レーザーダイオード２０からの光ビームＬの出射方向に沿ってコリメータレンズ２１とシリンドリカルレンズ２２及び偏向器としてのポリゴンミラー２３が一直線上に配置されている。
【００３８】
又、ハウジング１９内には、ポリゴンミラー２３によって偏向される光ビームＬの進行方向に沿ってｆθレンズ２４，２５と折り返しミラー２６が配設されている。又、光ビームＬの有効走査範囲（実際にプリント幅として使用する走査範囲）Ｒを外れた位置の左右には光検知素子であるＢＤセンサ２７と、ポリゴンミラー２３によって偏向されて有効走査範囲Ｒを外れた光路を進む光ビームＬ１を折り返して前記ＢＤセンサ２７へと導くＢＤミラー２８が配置されている。
【００３９】
ところで、ハウジング１９内のレーザーダイオード２０とポリゴンミラー２３の間の光路上であって、且つ、コリメータレンズ２１とシリンドリカルレンズ２２の間には、光ビームＬを絞るためのアパーチャ２９が配置されている。
【００４０】
而して、図２に示す光走査装置１２において、レーザーダイオード２０が画像信号に応じてＯＮ／ＯＦＦ制御されると、該レーザーダイオード２０から画像データに対応して変調された光ビームＬが出射され、この光ビームＬは、コリメータレンズ２１によって平行光束とされ、この平行光束Ｌは、アパーチャ２９によって絞られた後、副走査方向にのみパワーを有するシリンドリカルレンズ２２によってポリゴンミラー２３の反射面に結像され、高速で回転するポリゴンミラー２３によって偏向される。そして、偏向された光ビームＬは、ｆθレンズ２４，２５によって等速度で集光され、折り返しミラー２６によって折り返されて被走査面である感光ドラム２ａ（２ｂ〜２ｄ）上に集光スポットを形成し、これによって感光ドラム２ａ（２ｂ〜２ｄ）上が主走査方向に露光走査され、各感光ドラム２ａ（２ｂ〜２ｄ）上には各色のカラー画像信号に応じた静電潜像が形成される。
【００４１】
又、同時に有効走査範囲Ｒ外に配置されたＢＤセンサ２７には光ビームＬ１がＢＤミラー２８によって折り返されて入射し、この光ビームＬ１がＢＤセンサ２７によって検知されることによって光ビームＬによる感光ドラム２ａ（２ｂ〜２ｄ）上への露光走査（書き出し）開始タイミングが決定される。
【００４２】
ところで、被走査面上に集光される光ビームのスポット径はｆθレンズに入射される光ビームの径の大きさに反比例することが知られている。即ち、被走査面上での光ビームのスポット径をＷ、ｆθレンズに入射する光ビームの径をＤ、光ビームの波長をλ、ｆθレンズの焦点距離をｆとすると、被走査面上での光ビームのスポット径Ｗは次式で求められる。
【００４３】
Ｗ＝２ｆλ／（πＤ）
上記式より、光ビームの波長λが小さいほど被走査面上での光ビームのスポット径Ｗが小さくなるため、光ビームの波長λに関わらず被走査面上での光ビームのスポット径Ｗを一定に保つためには、光ビームの波長λが大きいほどｆθレンズに入射する光ビームの径Ｄを大きくし、逆に光ビームの波長λが小さいほどｆθレンズに入射する光ビームの径Ｄを小さくする必要がある。
【００４４】
そこで、本発明は、アパーチャ２９にサイズの異なる複数の開口絞りを形成し、該アパーチャ２９の取付方向をレーザーダイオード２０から出射される光ビームＬの波長に応じて変えるようにしたことを特徴とする。以下、本発明に係る光走査装置１２の実施の形態について説明する。
【００４５】
＜実施の形態１＞
図３は本発明の実施の形態１に係る光走査装置のアパーチャを示す図であって、（ａ）はアパーチャの平面図、（ｂ）は同アパーチャの斜視図、図４は同光走査装置における光ビームの光源からポリゴンミラーまでの光路を示す図であって、（ａ）は主走査断面図、（ｂ）は同副走査断面図である。
【００４６】
本実施の形態では、図３に示すように、アパーチャ２９を主走査面に対して平行且つ回動可能に取り付けるとともに、その回動支点３０の回りに２つ垂直壁２９Ａ，２９Ｂを軸直角方向に立設し、各垂直壁２９Ａ，２９Ｂにサイズの異なる開口絞り２９ａ，２９ｂをそれぞれ形成したことを特徴とする。具体的には、アパーチャ２９の一方の垂直壁２９Ａには長波長用の大きなサイズの開口絞り２９ａを形成し、他方の垂直壁２９Ｂには短波長用の小さなサイズの開口絞り２９ｂを形成している。又、アパーチャ２９には各垂直壁２９Ａ，２９Ｂに対応する２つの位置決め部３１が形成されている。
【００４７】
而して、レーザーダイオード２０から長波長の光ビームＬが出射される場合には、図４に示すように、アパーチャ２９の取付方向を垂直壁２９Ａがレーザーダイオード２０に対向する方向とし、垂直壁２９Ａに形成された大サイズ２９ａの開口絞りによって光ビームＬを絞るようにする。
【００４８】
又、レーザーダイオード２０から短波長の光ビームＬが出射される場合には、図４に示す状態からアパーチャ２９を回動支点３０を中心として９０°回転させ、該アパーチャ２９の他方の垂直壁２９Ｂをレーザーダイオード２０に対向させ、該垂直壁２９Ｂに形成された小サイズの開口絞り２９ｂによって光ビームＬを絞るようにする。
【００４９】
以上のように、本実施の形態に係る光走査装置１２においては、レーザーダイオード２０から出射される長い光ビームＬの波長に応じてアパーチャ２９の取付方向を変え、長波長の光ビームＬは垂直壁２９Ａに形成された大サイズの開口絞り２９ａを通過させてこれを絞り、短波長の光ビームＬは垂直壁２９Ｂに形成された小サイズの開口絞り２９ｂを通過させてこれを絞るようにしたため、部品点数の増加やコストアップを伴うことなく、複数のビーム波長に対して単一のアパーチャ２９によってビーム径を最適化することができる。
【００５０】
ところで、以上は長波長と短波長の光ビームＬに対応して２つの垂直壁２９Ａ，２９Ｂを立設したアパーチャ２９を用いた例について説明したが、例えば図５に示すようにアパーチャ２９’に３つの垂直壁２９Ａ〜２９Ｃを立設し、各垂直壁２９Ａ〜２９Ｃにサイズの異なる開口絞り２９ａ〜２９ｃを形成したり、或いは図６に示すようにアパーチャ２９”に４つの垂直壁２９Ａ〜２９Ｄを立設し、各垂直壁２９Ａ〜２９Ｄにサイズの異なる開口絞り２９ａ〜２９ｄを形成すれば、光ビームＬの３種或いは４種の波長に対してビーム径を最適化することができる。
【００５１】
＜実施の形態２＞
次に、本発明に係る光走査装置の実施の形態２を図７及び図８に基づいて説明する。
【００５２】
図７は本発明の実施の形態２に係る光走査装置のアパーチャの取付構造を示す斜視図、図８は同光走査装置における光ビームの光源からポリゴンミラーまでの光路を示す図であって、（ａ）は長波長の光ビームを出射する場合の主走査断面図、（ｂ）は短波長の光ビームを出射する場合の副走査断面図である。
【００５３】
本実施の形態では、アパーチャ２９をＬ字型とし、一方の面２９Ａに長波長用の大サイズの開口絞り２９ａを形成し、他方の面２９Ｂに短波長用の小サイズの開口絞り２９ｂと三角の切欠き状嵌合溝３２を形成している。又、ハウジング１９の取付面上には、アパーチャ２９の前記開口絞り２９ａに嵌合する長円柱状の嵌合突起３３と前記嵌合溝３２に嵌合する三角柱状の嵌合突起３４が突設されている。
【００５４】
而して、レーザーダイオード２０から長波長の光ビームＬが出射される場合には、図８（ａ）に示すように、アパーチャ２９の一方の面２９Ｂを取付面として他方の面２９Ａを垂直に立設させ、この面２９Ａに形成された大サイズの開口絞り２９ａによって光ビームＬを絞るようにする。このとき、アパーチャ２９に形成された切欠き溝３２にハウジング１９側の嵌合突起３４が嵌合し、アパーチャ２９がハウジング１９に対して正確に位置決めされる。
【００５５】
又、レーザーダイオード２０から短波長の光ビームＬが出射される場合には、図８（ｂ）に示すように、アパーチャ２９の一方の面２９Ａを取付面として他方の面２９Ｂを垂直に立設させ、この面に形成された小サイズの開口絞り２９ｂによって光ビームＬを絞るようにする。このとき、アパーチャ２９に形成された大サイズの開口絞り（使用しない側の開口絞り）２９ａにハウジング１９側の嵌合突起３３が嵌合し、アパーチャ２９がハウジング１９に対して正確に位置決めされる。尚、大サイズの開口絞り２９ａは位置決め用の嵌合溝としても併用される。
【００５６】
以上のように、本実施の形態に係る光走査装置１２においては、アパーチャ２９の２つの面２９Ａ，２９Ｂのうち、一方を取付面とすることによって、他方を立設させ、立設した面２９Ａ又は２９Ｂに形成された開口絞り２９ａ又は２９ｂを光ビームＬの波長に応じて選択して該光ビームＬを絞るようにしたため、部品点数の増加やコストアップを伴うことなく、複数のビーム波長に対して単一のアパーチャ２９によってビーム径を最適化することができる。
【００５７】
＜実施の形態３＞
次に、本発明に係る光走査装置の実施の形態３を図９及び図１０に基づいて説明する。
【００５８】
図９（ａ）及び図１０（ａ）は本発明の実施の形態２に係る光走査装置におけるアパーチャの取付要領を示す斜視図、図９（ｂ）及び図１０（ｂ）はアパーチャ取付後の状態を示す斜視図である。
【００５９】
本実施の形態では、矩形プレート状のアパーチャ２９の長手方向（高さ方向）中間部に矩形のフランジ部２９Ｅを一体に形成し、該フランジ部２９Ｅを境としてこれの両側（上下）に矩形の大サイズの開口絞り２９ａと小サイズの開口絞り２９ｂを形成している。又、アパーチャ２９の大サイズの開口絞り２９ａが設けられた側の長手方向端面の幅方向両側に２つの突起２９ｅが突設されており、他端面の幅方向中央には１つの突起２９ｆが突設されている。そして、ハウジング１９側には、アパーチャ２９を垂直に立てて差し込むためのスリット状の嵌合溝１９ａが形成されている。
【００６０】
而して、レーザーダイオード２０から長波長の光ビームＬが出射される場合には、図９（ａ）に示すようにアパーチャ２９を小サイズの開口絞り２９ｂが形成された側を下とし、この部分をハウジング１９の嵌合溝１９ａに上方から差し込めば、図９（ｂ）に示すように大サイズの開口絞り２９ａがハウジング１９上に開口するため、長波長の光ビームＬはアパーチャ２９の大サイズの開口絞り２９ａを通過して所定のサイズに絞られる。尚、このとき、ハウジング１９内にはアパーチャ２９の一方の端面に突設された２つの突起２９ｅが露出する。
【００６１】
又、レーザーダイオード２０から短波長の光ビームＬが出射される場合には、図１０（ａ）に示すように、アパーチャ２９の上下を逆にして大サイズの開口絞り２９ａが形成された側を下とし、この部分をハウジング１９の嵌合溝１９ａに上方から差し込めば、図１０（ｂ）に示すように小サイズの開口絞り２９ｂがハウジング１９上に開口するため、短波長の光ビームＬはアパーチャ２９の小サイズの開口絞り２９ｂを通過して所定のサイズに絞られる。尚、このとき、ハウジング１９内にはアパーチャ２９の他方の端面に突設された１つの突起２９ｆが露出する。
【００６２】
以上のように、本実施の形態に係る光走査装置１２においては、アパーチャ２９に形成された大小２つの開口絞り２９ａ，２９ｂのうち、使用しない側をハウジング１９の嵌合溝１９ａに差し込むことによって、２つの開口絞り２９ａ，２９ｂの一方を光ビームＬの波長に応じて選択して該光ビームＬを絞るようにしたため、部品点数の増加やコストアップを伴うことなく、複数のビーム波長に対して単一のアパーチャ２９によってビーム径を最適化することができる。
【００６３】
又、アパーチャ２９の長手方向両端面に個数と設置位置及び形状が異なる突起２９ｅ，２９ｆをそれぞれ突設したため、これらの突起２９ｅ，２９ｆのうちの露出している側の突起２９ｅ又は２９ｆを目視することによって、現在使用している開口絞り２９ａ又は２９ｂを容易に認識することができる。
【００６４】
尚、以上は本発明をカラーレーザープリンタとこれに備えられた光走査装置に対して適用した形態について説明したが、本発明は、モノクロプリンタや複写機等を含む他の任意の画像形成装置及びこれに備えられた光走査装置に対しても同様に適用可能であることは勿論である。
【符号の説明】
【００６５】
１Ｍ            マゼンタ画像形成ユニット
１Ｃ            シアン画像形成ユニット
１Ｙ            イエロー画像形成ユニット
１Ｋ            ブラック画像形成ユニット
２ａ〜２ｄ      感光ドラム
３ａ〜３ｄ      帯電器
４ａ〜４ｄ      現像装置
５ａ〜５ｄ      転写ローラ
６ａ〜６ｄ      クリーニング装置
７              中間転写ベルト
８              駆動ローラ
９              テンションローラ
１０            二次転写ローラ
１１            光学式濃度センサ
１２            光走査装置
１３            給紙カセット
１４            搬送ローラ対
１５            レジストローラ対
１６            排紙トレイ
１７            定着装置
１８            排紙ローラ対
１９            光走査装置のハウジング
１９ａ          ハウジングの嵌合溝
２０            レーザーダイオード（光源）
２１            コリメータレンズ
２２            シリンドリカルレンズ
２３            ポリゴンミラー（偏向器）
２４，２５      ｆθレンズ
２６            折り返しミラー
２７            ＢＤセンサ
２８            ＢＤミラー
２９〜２９”    アパーチャ
２９Ａ〜２９Ｄ  アパーチャの垂直壁（又は面）
２９Ｅ          アパーチャのフランジ部
２９ａ〜２９ｄ  アパーチャの開口絞り
２９ｅ，２９ｆ  アパーチャの突起
３０            アパーチャの回動支点
３１            アパーチャの位置決め部
３２            嵌合溝
３３，３４      嵌合突起
３０ａ          スリットの開口絞り
Ｌ，Ｌ１        光ビーム
Ｒ              有効走査範囲
Ｓ              搬送パス
【図１】
2011137922.tif 000003
【図２】
2011137922.tif 000004
【図３】
2011137922.tif 000005
【図４】
2011137922.tif 000006
【図５】
2011137922.tif 000007
【図６】
2011137922.tif 000008
【図７】
2011137922.tif 000009
【図８】
2011137922.tif 000010
【図９】
2011137922.tif 000011
【図１０】
2011137922.tif 000012